(57)【要約】    【課題】表示部を備えたデジタルカメラにおいて、外部の表示装置に表示させることを可能にするデジタルカメラを提供する。    【解決手段】画像信号の縮小画面を記録する縮小画面記録部と、縮小画面記録部に記録された縮小画面のデータを複数コマ分同時にビットマップ上に配列する画面処理部と、ビットマップ上に配列された複数コマ分の縮小画面を同時に表示する表示装置からなるデジタルカメラであって、更に縮小画面記録部に記録された縮小画面のデータを外部装置に出力する出力部をデジタルカメラに設けた。【選択図】図２
2004187323.tif 000002
【特許請求の範囲】
【請求項１】
シャッタを押したときにとらえた１コマの画像信号を複数のブロックに分け、各ブロックにおいて直流成分と交流成分とを生成し、画像信号の圧縮処理を行う圧縮処理手段と、
前記圧縮処理手段が圧縮処理した画像を記録する画像記録手段と、
前記圧縮処理手段が生成した前記直流成分を抽出する直流成分検出手段と、
前記直流成分検出手段が抽出した前記直流成分によって縮小画面を構成して記録する縮小画面記録手段と、
前記縮小画面記録手段に記録された縮小画面のデータを外部装置に出力する手段と、
を含むことを特徴とするデジタルカメラ。
【請求項２】
前記縮小画面記録手段に記録された縮小画面のデータを複数コマ分同時にビットマップ上に配列するマルチ画面処理手段を備えることを特徴とする請求項１記載のデジタルカメラ。
【請求項３】
前記マルチ画面処理手段が配置した複数コマ分の縮小画面を同時に表示する表示手段を備えることを特徴とする請求項２記載のデジタルカメラ。
【請求項４】
前記圧縮処理手段の直流成分と交流成分との生成は離散コサイン変換で行なうことを特徴とする請求項１〜３のいずれかに記載のデジタルカメラ。
【請求項５】
前記マルチ画面処理手段は、縮小画像の画素データを複製し縮小された画像を拡大してビットマップ上に配列する拡大手段を有することを特徴とする請求項２〜３のいずれかに記載のデジタルカメラ。
【請求項６】
前記マルチ画面処理手段は、縮小画像の画素データを利用し補間演算を行って縮小された画像を拡大してビットマップ上に配列する拡大手段を有することを特徴とする請求項２〜３のいずれかに記載のデジタルカメラ。
【請求項７】
前記外部装置に出力する手段はコンピュータに送る手段であることを特徴とする請求項１記載のデジタルカメラ。
【発明の詳細な説明】
【技術分野】
【０００１】
本発明は、デジタルカメラに関し、更に詳しくはマルチ表示機能を備えたデジタルカメラに関する。
【背景技術】
【０００２】
液晶などの表示装置を備えたデジタルカメラであって、複数撮影したコマを縮小して表示装置に同時に表示するマルチ表示機能を備えたデジタルカメラが知られている。例えば撮影した１６コマをマルチ表示する場合、各コマは、１／１６に縮小され、縮小された１６コマは、４行、４列のマトリックス状に配置され、表示装置に同時に表示される。１コマのみ表示する際には表示装置いっぱいに１コマの画像が表示される。
【０００３】
図６は、従来のマルチ表示機能を備えたデジタルカメラのブロック図を示す。いま、シャッタボタンが押されておらず、スイッチＳ１０１は、実線で示された状態に有り、かつスイッチＳ１０２も実線で示された状態にあるとする。
【０００４】
シャッタボタンが押されていないときは、映像入力装置１０４にあるＣＣＤから得られたＰＤＭｉｘモードのビデオ信号は、ＰＤＭｉｘ処理手段１１４を介してカメラ本体にある表示装置１２６に送られる。ＰＤＭｉｘ処理手段１１４は、多くの画素信号を間引いて画像処理をするので、非常に早く、例えば６コマ/秒の早さで画像を作ることができる。従って、表示装置１２６には準動画が表示される。
【０００５】
シャッタボタンが押されれば、スイッチＳ１０１は点線で示す位置に切り替えられる。従って、１コマの画像信号はプログレッシブ処理手段１０８に送られる。プログレッシブ処理回路１０８では、例えばＪＰＥＧに従って、画像の圧縮処理が成され、圧縮された画像信号は、シャッタが押された時にとらえた１コマ分の画像として、第１メモリ１２４に記録される。
【０００６】
１コマの画像信号がプログレッシブ処理手段１０８に送られれば、直ちにスイッチＳ１０１は一点鎖線で示す位置に切り替わり、同じ１コマの画像信号がサムネイル映像生成手段１１０に送られる。サムネイル映像生成手段１１０では１コマの画像が所定の大きさ（８画素×８画素）のブロックに分けられ、そのブロックの平均値が、そのブロックを代表する１画素の値として縮小された画像信号（サムネイル信号）が生成され、第２メモリ１１２に記録される。このサムネイル信号はデジタルカメラから画像信号をコンピュータ等に送る際、コンピュータにおいて送られてくる画像信号を予め確認するためのものである。すなわち、前もってデジタルカメラからコンピュータに対してサムネイル信号を送り、そのサムネイル信号をコンピュータにおいて確認することにより、選択的に画像信号をデジタルカメラからコンピュータへ送るためのものである。
【０００７】
図７のステップＳ２１−Ｓ２４はプログレッシブ処理手段１０８における動作を示す一方、ステップＳ２５−Ｓ２８はサムネイル映像生成手段１１０における動作を示す。すなわち、ある従来例では、プログレッシブ処理手段１０８においては、１ブロックに対しＤＣＴ変換し（ステップＳ２１）、同ブロックに対し量子化およびハフマン符号化処理を行って圧縮映像を生成し（ステップＳ２２）、圧縮映像を第１メモリ２４に蓄積し（ステップＳ２３）、全ブロックについて同様な処理を行う（ステップＳ２４）。また、サムネイル映像生成手段１１０においては、６４画素分（８画素×８画素）の映像データを取得し（ステップＳ２５）、６４画素の平均値を算出し（ステップＳ２６）、算出結果を１画素分のデータとして設定し（ステップＳ２７）、これを全画素について実行する（ステップＳ２８）。
【０００８】
シャッタボタンが複数回押され、複数のたとえば１６コマの圧縮された画像信号が第１メモリ１２４に記録されたとする。ここで、マルチ表示に切り替えられれば、スイッチＳ１０２は、点線で示す位置に設定される。また、第１メモリ１２４から圧縮された画像信号が伸張処理手段１２０に送られて元の画像信号に伸張、すなわち逆圧縮処理がなされ、さらに映像縮小手段１２２に送られる。映像縮小手段１２２では伸張された画像信号を、平均値処理などにより再び縮小し、縮小された画像信号が表示装置１２６で表示される。この伸張、縮小処理が１６回繰り返され、１６コマの縮小画像が同時に表示装置１２６で表示され、１６コマのマルチ表示がなされる。
【０００９】
言うまでもなく、第１メモリ１２４から１コマの画像信号を縮小せずに表示装置の表示領域いっぱいに表示することもでき、この場合は、第１メモリ１２４からの１コマの画像信号を、伸張処理手段１２０で伸張し、そのまま表示装置１２６で表示すればよい。
【００１０】
図８のステップＳ３１−Ｓ３４は映像縮小手段１２２における動作を示すもので、１６画素分（４画素×４画素）の映像データが取得され（ステップＳ３１）、１６画素の平均値が算出され（ステップＳ３２）、算出結果を１画素分のデータとして設定し（ステップＳ３３）、これを全画素について実行する（ステップＳ３４）。
【発明の開示】
【発明が解決しようとする課題】
【００１１】
この従来のデジタルカメラにおいては、マルチ表示の１つの縮小画像を作る度に伸張、縮小処理が行われるので、１６コマすべての縮小画像がそろうまで非常に時間（約３２秒）がかかっていた。特に伸張処理手段１２０における処理が長くかかっていた。また、伸張、縮小処理に多数のステップを必要としていたので、コンピュータで処理する場合、コンピュータの負担が大きく、高価なものとなっていた。
そこで、本発明は短時間でマルチ表示画面を作ることができるマルチ表示機能を備えたデジタルカメラを提供することを目的とする。
【００１２】
また、コンピュータで処理する場合、少ないステップで十分なマルチ表示機能を備えたデジタルカメラを提供することを目的とする。
【００１３】
また、サムネイル信号を作るための構成を簡単にしたマルチ表示機能を備えたデジタルカメラを提供することを目的とする。
【課題を解決するための手段】
【００１４】
本発明のうちで、第１の観点の発明は、シャッタを押したときにとらえた１コマの画像信号を記録処理する画像記録手段（８、２４）と、該画像信号の縮小画面を記録する縮小画面記録手段（１０，１２）と、該縮小画面記録手段（１０，１２）に記録された縮小画面の信号を複数コマ分同時にビットマップ上に配列するマルチ画面処理手段（２８）と、該ビットマップ上に配列された複数コマ分の縮小画面を同時に表示する表示手段（２６）からなることを特徴とするマルチ表示機能を備えたデジタルカメラである。
【００１５】
第２の観点の発明は、上記マルチ画面処理手段（２８）は、縮小画像の画素信号を複製し、縮小された画像を拡大してビットマップ上に配列する拡大手段（２８ａ）を含むことを特徴とする第１の観点にかかるマルチ表示機能を備えたデジタルカメラである。
【００１６】
第３の観点の発明は、シャッタを押したときにとらえた１コマの画像信号を複数のブロックに分け、各ブロックにおいて直流成分と交流成分とに分析し、画像信号の圧縮処理を行う圧縮処理手段（８）と、該圧縮処理手段から、直流成分を抽出する直流成分検出手段（１０）と、抽出された直流成分によって縮小画面を構成して記録する縮小画面記録手段（１２）からなることを特徴とするデジタルカメラである。
【００１７】
第４の観点の発明は、上記圧縮処理手段（８）は、離散コサイン変換手段（８ｂ）を含むことを特徴とする第３の観点にかかるデジタルカメラである。
【００１８】
第５の観点の発明は、シャッタを押したときにとらえた１コマの画像信号を複数のブロックに分け、各ブロックにおいて直流成分と交流成分とに分析し、画像信号の圧縮処理を行う圧縮処理手段（８）と、該圧縮処理手段から、直流成分を抽出し、抽出された直流成分を記録する直流成分記録手段（１０，１２）と、該直流成分記録手段（１０，１２）に記録された直流成分を用いて縮小された画像の信号を複数コマ分同時にビットマップ上に配列するマルチ画面処理手段（２８）と、該ビットマップ上に配列された複数コマ分の画像信号を表示する表示手段（２６）からなることを特徴とするマルチ表示機能を備えたデジタルカメラである。
【００１９】
第６の観点の発明は、上記圧縮処理手段（８）は、離散コサイン変換手段（８ｂ）を含むことを特徴とする第５の観点にかかるマルチ表示機能を備えたデジタルカメラである。
【００２０】
第７の観点の発明は、上記マルチ画面処理手段（２８）は、縮小画像の画素信号を複製し、縮小された画像を拡大してビットマップ上に配列する拡大手段（２８ａ）を含むことを特徴とする第５または第６の観点にかかるマルチ表示機能を備えたデジタルカメラである。
【００２１】
第８の観点の発明は、上記拡大手段（２８ａ）は、縮小画像の画素信号を利用し、補間演算を行うことを特徴とする第２の観点にかかるマルチ表示機能を備えたデジタルカメラである。
【００２２】
第９の観点の発明は、上記拡大手段（２８ａ）は、縮小画像の画素信号を利用し、補間演算を行うことを特徴とする第７の観点にかかるマルチ表示機能を備えたデジタルカメラである。
【００２３】
本発明にかかるマルチ表示機能を備えたデジタルカメラにおいては、圧縮された１コマの画像信号全体に対する逆圧縮処理を行っていないので短時間でマルチ表示画面を作ることができる。
【００２４】
また、コンピュータで処理する場合、圧縮された１コマの画像信号全体に対する逆圧縮処理を行っていないので、少ないステップで十分なマルチ表示機能を備えたデジタルカメラを提供することができる。
【００２５】
また、直流成分記録手段からの記録データを用いて、サムネイル信号を作ることができるので構成を簡単にしたマルチ表示機能を備えたデジタルカメラを提供することができる。
【発明を実施するための最良の形態】
【００２６】
図１は、本発明にかかるマルチ表示機能を備えたデジタルカメラのブロック図である。図１において、４は映像入力装置、８は映像入力装置４からのすべての画素信号をブロック化し、ＤＣＴ変換・圧縮処理するプログレッシブ処理手段、２４はプログレッシブ処理手段８からの画像信号を記録する第１メモリ、１０はＤＣＴ変換後の直流成分のみを検出し、サムネイル（thum nail)画像を生成する手段、１２はサムネイル画像を記録する第２メモリ、２８は複数のサムネイル画像を集めて一つのマルチ表示画面を作るマルチ画面処理手段、１４は映像入力装置４からの画素信号を間引いて映像処理をするＰＤＭｉｘ処理手段、２６は例えば液晶などの表示装置、Ｓ１はデジタルカメラのシャッタに連動したスイッチ、Ｓ２はＰＤＭｉｘ処理手段１４から送られてくる準動画と、マルチ画面処理手段２８から送られてくるマルチ表示画面とを切り替えるスイッチである。
【００２７】
図２は、本発明にかかるマルチ表示機能を備えたデジタルカメラの詳細を示すブロック図である。図２において、２は対物レンズ、４はＣＣＤ（電荷結合素子）で撮像手段を構成する。６はA/D変換器、８は１コマが横６４０画素×縦４８０画素で構成される画素信号が間引きなしで信号処理されるプログレッシブ処理手段で、ブロック化手段８ａ、ＤＣＴ（離散コサイン変換）手段８ｂ、圧縮処理手段８Ｃから成る。２４は圧縮処理された画像信号を記録する第１メモリ、１０はＤＣＴ手段８ｂの変換データのうち直流成分のみを抽出するＤＣ成分検出手段、１２は検出されたＤＣ成分のみを集め、サムネイル映像を組み立て、それを記録する第２メモリ、１４は画素信号を間引いて画像信号が処理されるＰＤＭｉｘ処理手段、１６はデジタルカメラのシャッタボタン、１８はシャッタボタンと連動するフリップフロップ、２０はＣＣＤ駆動手段、２６ａはD/A変換器、２６ｂはカメラ本体に設けられた液晶表示装置、２８は撮影した複数のコマを縮小して同時に表示するためのマルチ画面処理手段で、拡大処理手段２８ａと配列処理手段２８ｂから成る。３０は、４コマ表示のマルチ画面、１６コマ表示のマルチ画面等、希望するコマ数のマルチ画面を選択設定するとともに、何コマ目から以後を表示するかを選択設定するマルチ画面制御手段である。Ｓ１はフリップフロップ１８からの信号により、Ａ／Ｄ変換器６をプログレッシブ処理手段８かＰＤＭｉｘ処理手段１４のいずれかに切り替えるスイッチ、Ｓ２はマルチ画面制御手段３０により、接続をＰＤＭｉｘ処理手段１４への接続位置（実線）からマルチ画面処理手段２８への接続位置（点線）に切り替えるスイッチである。液晶表示装置２６ｂは、プラズマ表示装置等、ほかの種類のものであっても良い。
【００２８】
以下、動作を説明する。いま、シャッタボタン１６が押されておらず、スイッチＳ１は、実線で示された状態に有り、かつスイッチＳ２も実線で示された状態にあるとする。
【００２９】
シャッタボタン１６が押されていないときは、フリップフロップ１８のＱ出力からローレベル信号が出力され、それによりＣＣＤ駆動回路２０は、ＣＣＤ４の隣接画素を加算して、たとえば上下にあるマジェンダ（Mg)画素とイェロー（Ye)画素を加算、そして上下にあるグリーン（Ｇ）画素とシアン（Ｃｙ）画素を加算して簡略画像データを出力する、いわゆるＰＤＭｉｘモードに設定される。また、同Ｑ出力からのローレベル信号によりスイッチＳ１は実線で示される位置に設定される。
【００３０】
このシャッタボタン１６が押されていない状態では、ＣＣＤ４から得られたＰＤＭｉｘモードのビデオ信号は、Ａ／Ｄ変換器６、ＰＤＭｉｘ処理手段１４、D/A変換器２６ａを介してカメラ本体にある液晶表示装置２６ｂに送られる。ＰＤＭｉｘ処理手段１４は、多くの画素信号を間引いて画像処理をするので、非常に早く、例えば６コマ/秒の早さで画像を作ることができる。従って、表示装置２６ｂには準動画が表示される。
【００３１】
シャッタボタン１６が押されれば、フリップフロップ１８のＳ入力にセット信号が入力され、同Ｑ出力からハイレベル信号が出力される。このハイレベル信号によりＣＣＤ駆動手段２０は、ＣＣＤ４の画素信号をそのまますべて出力するプログレッシブモードに設定される。また、同Ｑ出力からのハイレベル信号によりスイッチＳ１は実線で示される位置に設定される。従って、ＣＣＤ４から得られたプログレッシブモードのビデオ信号は、A/D変換器６からプログレッシブ処理手段８に送られる。プログレッシブ処理回路８では、例えばＪＰＥＧに従って、画像圧縮処理が成される。まず、ブロック化手段８ａにおいて、全画素データが８画素×８画素の大きさのブロックに分けられる。ＤＣＴ変換手段８ｂでは、各ブロックがＤＣＴ変換され、一つの直流成分と複数の交流成分が生成される。圧縮処理手段８ｃにおいては、一つの直流成分と複数の交流成分が用いられて圧縮処理が成され、圧縮された画像信号は、シャッタが押された時にとらえた画像として、第１メモリに記録される。ブロック化手段８ａ、ＤＣＴ変換手段８ｂ、圧縮処理手段８ｃの詳細については、JPEG 標準規格（ITU T.81)に開示されている。
【００３２】
ＤＣＴ変換手段８ｂで複数のブロックについて順次ＤＣＴ変換が行われている際、ＤＣ成分検出手段１０は、各ブロックのＤＣＴ変換後の直流成分のみを抽出する。各ブロックはＹ信号、Ｒ−Ｙ信号、Ｂ−Ｙ信号を含んでいるので、Ｙ信号についてＤＣＴ変換、Ｒ−Ｙ信号についてＤＣＴ変換、Ｂ−Ｙ信号についてＤＣＴ変換、の３回のＤＣＴ変換が行われ、３つの直流成分が抽出される。抽出された直流成分は順次第２メモリ１２に記録され、ひとつのブロックに対し３つのＤＣ成分データが１画素データとして割り当てられ、記録される。ひとつのブロックには６４画素（８×８）が含まれているので、第２メモリ１２には（１／６４）に縮小されたサムネイル画像信号が記録されることになる。
【００３３】
図５（ａ）に、ＤＣＴ変換される際に得られる１コマ分のサムネイル画像の説明図が示されている。１コマに対し、Ｙ信号については、４８００ブロックからＤＣ成分が抽出記録され、Ｒ−Ｙ信号とＢ−Ｙ信号のそれぞれについては、４８００ブロックからＤＣ成分が抽出される。Ｙ信号について抽出されたＤＣ成分はＹ１，Ｙ２，Ｙ３，・・・，Ｙ４８００で示されている。Ｒ−Ｙ信号について抽出されたＤＣ成分はＲ１，Ｒ２，Ｒ３，・・・，Ｒ４８００で示されている。Ｂ−Ｙ信号について抽出されたＤＣ成分はＢ１，Ｂ２，Ｂ３，・・・，Ｂ４８００で示されている。
【００３４】
図２に戻り、シャッタが押された時にとらえた１コマの画像データのプログレッシブ処理が終了すれば、プログレッシブ処理回路８はリセット信号をフリップフロップ１８のＲ入力に入力し、同Ｑ出力からローレベル信号が出力される。このローレベル信号により、ＣＣＤ駆動回路２０は、再びＰＤＭｉｘモードに設定される。
【００３５】
シャッタを押して、上述の撮影動作を繰り返し行うことにより、複数コマの圧縮された撮影画像が第１メモリ２４に記録される一方、それら複数コマに対応する複数のサムネイル画像が第２メモリに記録される。今、例えば２０コマの撮影を行ったとすると、２０コマの圧縮された撮影画像が第１メモリ２４に記録される一方、それら２０コマに対応する２０のサムネイル画像が第２メモリに記録される。
【００３６】
マルチ画面制御手段３０により、３コマ目から以後の１６コマを表示する１６コマ表示モードが設定されたとする。すると、スイッチＳ２は点線で示された位置に設定されるとともに、第２メモリから３コマ目から１８コマ目までの１６コマのサムネイル画像が順次出力される。３コマ目のサムネイル画像がマルチ画面処理手段２８に入力されれば、まず拡大処理手段２８ａにおいて以下に説明するように信号が拡大処理される。
【００３７】
図５（ｂ）に示すように、Ｙ１，Ｙ２，Ｙ３，・・・，Ｙ４８００のそれぞれのＹ信号について、４倍（縦２倍、横２倍）拡大処理される。同様に、Ｒ−Ｙ信号について抽出されたＤＣ成分はＲ１，Ｒ２，Ｒ３，・・・，Ｒ４８００のそれぞれのＲ−Ｙ信号についても４倍に拡大処理され、Ｂ１，Ｂ２，Ｂ３，・・・，Ｂ４８００のそれぞれについても４倍に拡大処理される。これは、サムネイル画像が、１／６４のサイズに縮小されて第２メモリに記録されており、これを１／１６のサイズに拡大するため４倍に拡大処理が成される。４コマ表示モードが設定されれば、１６倍に拡大処理される。
【００３８】
なお、拡大処理は、上述したように単純に縮小画像の画素の複製そのものを隣接画素の中間に挿入して４倍に拡大するのではなく、例えば隣接画素の平均値を用いて補間演算し、得られた値を中間に挿入する画素に用いて４倍に拡大するようにしても良い。この場合、階調変化がよりスムースな画像を得ることができる。
【００３９】
図２に戻り、このように拡大処理されたサムネイル画像は、液晶表示装置２６ｂの左上から順番に表示され、最終的には３コマ目から１８コマ目までの１６コマのサムネイル画像が同時に液晶表示装置２６ｂに表示される。
【００４０】
本願発明のマルチ表示機能を備えたデジタルカメラにおいては、マルチ画面を作成するのに第１メモリの圧縮処理されたデータを用いていないので、すなわち、圧縮データを伸張処理すること無く、第２メモリからのデータを倍増して使用しているので、マルチ画面処理手段２８における処理速度は非常に速い。従って、例えば１６コマ表示モードでマルチ画面を見る場合、１／１６のサイズの小さなコマが次々と現れ、約２秒で表示装置２６ｂの全面を１６コマで埋め尽くす。      
【００４１】
なお、第２メモリ１２のサムネイル画像は、デジタルカメラから第１メモリに蓄積される圧縮画像をコンピュータ等に送る際、コンピュータにおいて送られてくる圧縮画像を予め確認するために用いることも可能である。
【００４２】
図３は、プログレッシブ処理手段８およびＤＣ成分検出手段１０をマイクロコンピュータで構成した場合のフローチャートを示す。
【００４３】
ステップＳ１において、ひとつのブロックに対しＤＣＴ変換を行う。言うまでもなく、ここではひとつのブロックに対し、Ｙ信号のＤＣＴ変換と、Ｒ−Ｙ信号のＤＣＴ変換と、Ｂ−ＹのＤＣＴ変換が行われている。
【００４４】
ステップＳ２において、ＤＣＴ変換された結果の直流成分のみを抽出し、それを第２メモリに順次記録する。この様にして第２メモリにおいてサムネイル画像を組み立てる。
【００４５】
ステップＳ３において、１ブロックのＤＣＴ変換が終われば、直流成分および交流成分のＤＣＴ係数について量子化およびハフマン符号化処理を行い、１ブロックの圧縮処理を終了する。
【００４６】
ステップＳ４において、１ブロックの圧縮処理されたデータを第１メモリに記録する。
【００４７】
ステップＳ５では、撮影された１コマに含まれるブロックの全てについて処理が成されたか否かが判断され、全てのブロックについて処理が成されていなければ、再びステップＳ１−Ｓ５が繰り返され、全てのブロックについて処理が成されていれば、終了する。
【００４８】
このように、本発明においては、サムネイル画像を組み立てるための特別の演算処理を必要とせず、通常の圧縮処理の過程においてサムネイル画像を組み立てることができる。従って、マイクロコンピュータの負担を軽減することができ、また、素早くサムネイル画像を組み立てることができる。
【００４９】
図４は、マルチ画面処理手段２８をマイクロコンピュータで構成した場合であって、特に１６コマ表示モードにあるときのフローチャートを示す。
【００５０】
ステップＳ１１において、第２メモリ１２から１画素分の映像データ、図５の例で言えばＹ１，Ｒ１，Ｂ１のデータを読み出す。
【００５１】
ステップＳ１２において、読み出した１画素分の映像データを４画素分に拡大して配置する。この配置は、図５に示すように、例えばＹ１，Ｒ１，Ｂ１のそれぞれのデータに対し、４つの複製データを作り、ビットマップ上において縦２、横２のマトリックス状に配置する。
【００５２】
ステップＳ１３において、１６コマのサムネイル画像の全ての画素について処理が成されたか否かが判断され、全ての画素について処理が成されていなければ、再びステップＳ１１−Ｓ１３が繰り返され、全ての画素について処理が成されていれば、終了する。
【００５３】
なお、変形例として、マルチ画面処理手段２８は、第２メモリ１２から１コマだけ取り出し、それを拡大表示する１コマ表示モードも可能とするようにしても良い。この場合は、好ましくは、第２メモリで記録される縮小画像は、１／４程度の縮小率で縮小されたものであるのがよい。この変形例では、第１メモリからの圧縮画像信号を伸張して表示させるよりも短時間で表示を行うことが可能である。
【００５４】
別の変形例として、図１において、ＤＣ成分検出手段１０の代わりに、図６に示すサムネイル映像生成手段１１０を用いることも可能である。
【００５５】
更に別の変形例として、図２の液晶表示装置２６ｂは、家庭用のテレビを用いることも可能である。
【００５６】
このように、本発明においては、マルチ画像表示において第１メモリ２４からの圧縮データを用いていないので、処理速度を早くすることができる。
【図面の簡単な説明】
【００５７】
【図１】本発明にかかるマルチ表示機能を備えたデジタルカメラのブロック図。
【図２】本発明にかかるマルチ表示機能を備えたデジタルカメラの詳細を示したブロック図。
【図３】図２のプログレッシブ処理手段およびＤＣ成分検出手段における動作のフローチャート。
【図４】図２のマルチ画面処理手段における動作のフローチャート。
【図５】図２の第２メモリおよび拡大手段における信号の形態を示す説明図。
【図６】従来のマルチ表示機能を備えたデジタルカメラのブロック図。
【図７】図６のプログレッシブ処理手段およびサムネイル映像生成手段における動作のフローチャート。
【図８】図６の映像縮小手段における動作のフローチャート。
【符号の説明】
【００５８】
２・・・対物レンズ
４・・・ＣＣＤ（電荷結合素子）
６・・・A/D変換器
８・・・プログレッシブ処理手段
８ａ・・・ブロック化手段
８ｂ・・・ＤＣＴ（離散コサイン変換）手段
８ｃ・・・圧縮処理手段
２４・・・第１メモリ
１０・・・ＤＣ成分検出手段
１２・・・第２メモリ
１４・・・ＰＤＭｉｘ処理手段
１６・・・シャッタボタン
１８・・・フリップフロップ
２０・・・ＣＣＤ駆動手段
２６・・・表示装置
２６ａ・・・D/A変換器
２６ｂ・・・液晶表示装置
２８・・・マルチ画面処理手段
２８ａ・・拡大処理手段
２８ｂ・・配列処理手段２８ｂ
３０・・・マルチ画面制御手段
Ｓ１・・・スイッチ
Ｓ２・・・スイッチ
【図１】
2004187323.tif 000003
【図２】
2004187323.tif 000004
【図３】
2004187323.tif 000005
【図４】
2004187323.tif 000006
【図５】
2004187323.tif 000007
【図６】
2004187323.tif 000008
【図７】
2004187323.tif 000009
【図８】
2004187323.tif 000010